(57)【要約】      （修正有）【課題】メンテナンスに手間がかかるという問題及び栽培ベッド上の養液が外部に溢れ出るという問題を同時に解消することができる水耕栽培装置を提供する。【解決手段】培地２を保持する培地保持体３と、植物の根に養液を触れさせるための栽培ベッド４と、上方に開放するための開口部を備えた養液タンク８と、この養液タンク内に配設され前記培地保持体の周壁の下端部が前記養液タンクの開口部８１内に没入するとともに前記栽培ベッドの上面が前記養液タンクの開口部の開口端面よりも上方に位置する状態で前記栽培ベッドを支持する栽培ベッド支持台と、給液機構５と、排液機構７とを具備してなる。【選択図】図４
0003160009.tif 000002
【実用新案登録請求の範囲】
【請求項１】
養液タンクに貯留された養液を用いて植物を栽培するための循環型の水耕栽培装置であって、植物を植え付けるための培地を保持する天板の周縁に下方に垂下する周壁を備えてなる培地保持体と、この培地保持体の周壁の内側に配され前記植物の根に養液を触れさせるための栽培ベッドと、この栽培ベッドに供給するための養液を貯留するための貯留空間を有しこの貯留空間を上方に開放するための開口部を備えた養液タンクと、この養液タンク内に配設され前記培地保持体の周壁の下端部が前記養液タンクの開口部内に没入するとともに前記栽培ベッドの上面が前記養液タンクの開口部の開口端面よりも上方に位置する状態で前記栽培ベッドを支持する栽培ベッド支持台と、前記養液タンク内に貯留されている養液を前記栽培ベッドに供給する給液機構と、この給液機構により栽培ベッド上に供給された養液の余剰分を前記養液タンク内に戻す排液機構とを具備してなることを特徴とする水耕栽培装置。
【請求項２】
前記養液タンクの下側に配され、平面視において前記養液タンクよりも大きな面積を有する受け皿を備えている請求項１記載の水耕栽培装置。
【請求項３】
前記培地保持体と、前記栽培ベッドと、前記栽培ベッド支持台とを、非使用時に前記養液タンク内に収納可能な寸法に設定している請求項１または２記載の水耕栽培装置。
【請求項４】
前記栽培ベッドが、前記非使用時に上下反転させることによって前記栽培ベッド支持台に被せることができる形状に設定されており、
前記養液タンクの深さ寸法が、前記培地保持体の天板の厚み寸法、前記栽培ベッドの底壁の厚み寸法、及び前記栽培ベッド支持台の高さ寸法の合計寸法よりも大きな値に設定されている請求項３記載の水耕栽培装置。
【請求項５】
前記栽培ベッド支持台が、前記非使用時に使用時とは異なる姿勢を採り得るようにしている請求項４記載の水耕栽培装置。
【請求項６】
前記栽培ベッド支持台が、前記非使用時に使用時とは異なる形状を採り得るように構成されており、
前記養液タンクの深さ寸法が、前記培地保持体の高さ寸法天板の厚み寸法、前記栽培ベッドの底壁の厚み寸法、及び前記栽培ベッド支持台の非使用時の高さ寸法の合計寸法よりも大きな値に設定されている請求項３記載の水耕栽培装置。
【請求項７】
前記栽培ベッド支持台が、複数枚の板状部材を井桁状に組み合わせたものであり、前記非使用時にそれら板状部材を分解することができる請求項６記載の水耕栽培装置。
【請求項８】
前記受け皿が、前記培地保持体と、前記栽培ベッドと、前記栽培ベッド支持台とを養液タンク内に収納した状態で、前記養液タンクの開口部に蓋着できるように構成したものである請求項２、３、４、５、６または７記載の水耕栽培装置。
【考案の詳細な説明】
【技術分野】
【０００１】
本考案は、養液タンクに貯留された養液を用いて植物を栽培するための循環型の水耕栽培装置に関する。
【背景技術】
【０００２】
従来、この種の水耕栽培装置として、植物を植え付けるための培地を保持する培地保持体と、この培地保持体の下に配設され植物の根に養液を触れさせるための栽培ベッドと、この栽培ベッドに供給するための養液タンクと、この養液タンク内に貯留されている養液を前記栽培ベッドに供給する給液機構と、この給液機構により栽培ベッド上に供給された養液の余剰分を前記養液タンク内に戻す排液機構とを具備してなるものが知られている。
【０００３】
ところが、従来のものは、培地保持体と栽培ベッドを養液タンクの上層部に収容しているため、養液タンクの実質的な容積が限られたものとなる。そのため、養液タンクを大型化しない限り、養液の補充を頻繁に行うことが必要となり、メンテナンスに手間がかかるという問題がある。
【０００４】
一方、培地保持体と栽培ベッドとを養液タンク外に配したものも種々知られている（例えば、特許文献１を参照）。ところが、このようなものは、植物の根の増殖等によって排液機構の機能が損なわれた場合に、栽培ベッド上の養液が外部に溢れ出るという不都合がある。
【先行技術文献】
【特許文献】
【０００５】
【特許文献１】特開２００７-３０６８９５号公報
【考案の概要】
【考案が解決しようとする課題】
【０００６】
本考案は、以上説明したような課題を一挙に解消しようとするものであり、メンテナンスに手間がかかるという問題及び栽培ベッド上の養液が外部に溢れ出るという問題を同時に解消することができる水耕栽培装置を提供することを目的とする。
【課題を解決するための手段】
【０００７】
本考案は、以上のような課題を解決するために、次のような手段を講じたものである。すなわち、本考案に係る水耕栽培装置は、養液タンクに貯留された養液を用いて植物を栽培するための循環型のものであって、植物を植え付けるための培地を保持する天板の周縁に下方に垂下する周壁を備えてなる培地保持体と、この培地保持体の周壁の内側に配され前記植物の根に養液を触れさせるための栽培ベッドと、この栽培ベッドに供給するための養液を貯留するための貯留空間を有しこの貯留空間を上方に開放するための開口部を備えた養液タンクと、この養液タンク内に配設され前記培地保持体の周壁の下端部が前記養液タンクの開口部内に没入するとともに前記栽培ベッドの上面が前記養液タンクの開口部の開口端面よりも上方に位置する状態で前記栽培ベッドを支持する栽培ベッド支持台と、前記養液タンク内に貯留されている養液を前記栽培ベッドに供給する給液機構と、この給液機構により栽培ベッド上に供給された養液の余剰分を前記養液タンク内に戻す排液機構とを具備してなることを特徴とする。
【０００８】
ここで「養液」とは、培養に必要な液体を意味するものであり、純粋な水等も含まれる。
【０００９】
このようなものであれば、栽培ベッドを養液タンク内に収容する場合に比べて、栽培ベッドを養液タンクの底壁から高い位置に配することができる。そのため、養液タンク内の実質的な容積を大きくすることができる。したがって、従来の問題、すなわち、養液の補充を頻繁に行うことが必要となり、メンテナンスに手間がかかるという問題の発生を、養液タンクの大型化を招くことなしに抑制することができる。
【００１０】
しかも、排液機構の機能が損なわれて、栽培ベッド上の養液が外部に溢れ出ても、その溢れ出た養液は、栽培ベッドの周壁と培地保持体の周壁との間を通って養液タンク内に戻る。そのため、溢れ出た養液が、外部に流出するという不具合を解消することができる。
【００１１】
養液の補充時に、培地保持体上にこぼれ落ちた養液の流出をも防止したい場合には、平面視において前記養液タンクよりも大きな面積を有する受け皿を、前記養液タンクの下側に配することが好ましい。
【００１２】
非使用状態における運搬や保管を容易にするには、前記培地保持体と、前記栽培ベッドと、前記栽培ベッド支持台とを、非使用時に養液タンク内に収納可能な寸法に設定しているものが好ましい。
【００１３】
その場合の具体的な一態様としては、前記栽培ベッドが、前記非使用時に上下反転させることによって前記栽培ベッド支持台に被せることができる形状に設定されており、前記養液タンクの深さ寸法が、前記培地保持体の天板の厚み寸法、前記栽培ベッドの底壁の厚み寸法、及び前記栽培ベッド支持台の高さ寸法の合計寸法よりも大きな値に設定されているものを挙げることができる。
【００１４】
使用時における栽培ベッドの支持安定性と非使用時における栽培ベッドの格納容易性とを両立させるためには、前記栽培ベッド支持台が、前記非使用時に使用時とは異なる姿勢を採り得るようにしておくのがよい。
【００１５】
具体的な他の態様としては、前記栽培ベッド支持台が、前記非使用時に使用時とは異なる形状を採り得るように構成されており、前記養液タンクの深さ寸法が、前記培地保持体の高さ寸法天板の厚み寸法、前記栽培ベッドの底壁の厚み寸法、及び前記栽培ベッド支持台の非使用時の高さ寸法の合計寸法よりも大きな値に設定されているものを挙げることができる。
【００１６】
前記非使用時に使用時とは異なる形状を採り得るように構成された栽培ベッド支持台のより具体的な態様としては、複数枚の板状部材を井桁状に組み合わせたものであり、前記非使用時にそれら板状部材を分解することができるものが挙げられる。
【００１７】
水耕栽培装置の非使用状態における運搬や保管における利便性を高めるためには、前記受け皿が、前記培地保持体と、前記栽培ベッドと、前記栽培ベッド支持台とを養液タンク内に収納した状態で、前記養液タンクの開口部に蓋着できるように構成したものが好ましい。
【考案の効果】
【００１８】
本考案によれば、メンテナンスに手間がかかるという問題及び栽培ベッド上の養液が外部に溢れ出るという問題を同時に解消し得る水耕栽培装置を提供することができる。
【図面の簡単な説明】
【００１９】
【図１】本考案の第１実施形態にかかる水耕栽培装置を示す全体斜視図。
【図２】同実施形態にかかる水耕栽培装置の分解斜視図。
【図３】同実施形態にかかる水耕栽培装置の平面図。
【図４】図３におけるＸ−Ｘ線断面図。
【図５】同実施形態にかかる水耕栽培装置の収納状態を示す図３に対応する断面図。
【図６】本考案の第２実施形態にかかる水耕栽培装置の図４に対応する断面図。
【図７】同実施形態にかかる水耕栽培装置の収納状態を示す図６に対応する断面図。
【考案を実施するための形態】
【００２０】
以下、本考案の第１実施形態にかかる水耕栽培装置１を、図１ないし図５を参照して説明する。
【００２１】
この実施形態にかかる水耕栽培装置１は、図１ないし図４に示すように、養液タンク８に貯留された養液Ｎを用いて植物Ｐを栽培するための循環型の水耕栽培装置１であって、植物Ｐを植え付けるための培地２を保持する天板３１の周縁に下方に垂下する周壁３２を備えてなる培地保持体３と、この培地保持体３の周壁３２の内側に配され前記植物Ｐの根に養液Ｎを触れさせるための栽培ベッド４と、この栽培ベッド４に供給するための養液Ｎを貯留するための貯留空間８３を有しこの貯留空間８３を上方に開放するための開口部８１を備えた養液タンク８と、この養液タンク８内に配設され前記培地保持体３の周壁３２の下端部が前記養液タンク８の開口部８１内に没入するとともに前記栽培ベッド４の上面が前記養液タンク８の開口部８１の開口端面よりも上方に位置する状態で前記栽培ベッド４を支持する栽培ベッド支持台９と、前記養液タンク８内に貯留されている養液Ｎを前記栽培ベッド４に供給する給液機構５と、この給液機構５により栽培ベッド４上に供給された養液Ｎの余剰分を前記養液タンク８内に戻す排液機構７とを具備してなる。また、この実施形態では、前記給液機構５により供給される養液Ｎを光触媒６２に接触させて浄化する浄化器６を備えている。
【００２２】
前記培地２は、図１及び図４に示すように、ポット２１内に培地形成部材２２を充填してなるもので、前記培地保持体３の天板３１に穿設された複数の開口部３３にそれぞれ装着されている。この実施形態では、前記ポット２１として、ピートモス等の自然材料をカップ状に成形してなるものを使用し、前記培地形成部材２２として、焼成ゼオライトを使用している。
【００２３】
前記培地保持体３は、図１ないし図４に示すように、合成樹脂製のもので、前記栽培ベッド４の底壁４２との間に一定の間隔をあけて配設される天板３１と、この天板３１の各縁から下方に垂下する周壁３２とを具備してなる。この培地保持体３の天板３１には、前記培地２を配するための培地保持用の開口部３３と、前記浄化器６を取り付けるための浄化器用の開口部３４と、前記養液タンク８に養液Ｎを注入または排出するための管理用の開口部３５とを備えている。なお、この開口部３５には図示しない蓋部材が蓋着されることにより、この開口部３５から栽培ベッド４上の養液Ｎが蒸発するのを防ぐとともに、埃や塵等の侵入を防ぐようにしている。また、この培地保持体３は、前記周壁３２の下端部が前記養液タンク８の開口部８１内に没入する状態で、栽培ベッド４の周壁４１に支持されている。
【００２４】
前記栽培ベッド４は、図２ないし図４に示すように、発砲スチロール等の合成樹脂製のもので、周縁に連続した周壁４１を有した扁平な箱状をなし、前記養液タンク８の開口部８１付近に略水平に配されている。すなわち、この栽培ベッド４は、栽培ベッド支持台９を介して養液タンク８の底壁８２により支持されている。その支持状態においては、前記栽培ベッド４の上面、すなわち栽培ベッド４の周壁４１の上端面が、前記養液タンク８の開口部８１の開口端面よりも上方に位置するように、養液タンク８の深さ寸法Ｍ１と、栽培ベッド４の高さ寸法Ｍ６、及び栽培ベッド支持台９の高さ寸法Ｍ４とが設定されている。詳述すれば、栽培ベッド４の底壁４２には、給液用の開口部４３と、排液用の開口部４４とが設けられている。給液用の開口部４３は、前記培地保持体３の浄化器用の開口部３４と軸心を一致または略一致させて設けてある。また、排液用の開口部４４は、前記培地保持体３の管理用の開口部３５と軸心を一致または略一致させて設けてある。
【００２５】
前記栽培ベッド支持台９は、図２及び図４に示すように、複数枚の板状部材９１を井桁状に組み合わせたものであり、前記非使用時には、これら板状部材９１を分解することができるように構成されている。すなわち、各板状部材９１は、中央部に図示しないスリットを有しており、隣接する２枚の板状部材９１のスリット同士を嵌め合わせることによって井桁状に組み合わされている。この栽培ベッド支持台９は、一端９２側を前記養液タンク８の底壁８２内面側に当接させるとともに、他端９３側を前記栽培ベッド４の底壁４２下面側に当接させている。
【００２６】
前記給液機構５は、図２及び図４に示すように、前記養液タンク８内に配設された液体ポンプ５１と、この液体ポンプ５１から吐出される養液Ｎを前記浄化器６を介して前記栽培ベッド４上に供給する給液管５２とを具備してなる。前記液体ポンプ５１は、養液Ｎ中で稼働される水中ポンプと称されるものであり、前記栽培ベッド支持台９とともに養液タンク８内に配される。前記給液管５２は、一端側が液体ポンプ５１の吐出口に接続され、他端側が前記栽培ベッド４に設けられた給液用の開口部４３を液密に貫通するとともに、前記培地保持体３に設けられた浄化器用の開口部３４の中心部分を通過して培地保持体３の上面側に突出している。
【００２７】
前記浄化器６は、図１ないし図４に示すように、前記培地保持体３の上であって複数の培地２に囲まれた位置に配されており、この実施形態では、平面視において４つの培地２から等距離となるように位置づけられて培地保持体３に保持されている。この浄化器６は、前記養液Ｎを光と空気に触れ得るようにした状態で、透光性を有する周壁の内面で養液Ｎを案内する筒状の浄化器本体６１を備え、その内面に前記光触媒６２をコーティングしたものである。浄化器本体６１は、上端が閉塞された筒状をなしている透明なガラス製のもので、光が当たる状態で養液Ｎを案内する。この浄化器本体６１は、前記給液管５２の他端側を覆うようにして下方に開放された下端部を、培地保持体３の浄化器用の開口部３４に取り付けている。本実施形態では、前記栽培ベッド４上に、前記浄化器本体６１の下端部を浄化器用の開口部３４の中心に位置決めするための網状の位置決め部材１３を配している。また、培地保持体３の上面には、前記浄化器本体６１を包囲するようにして、浄化を促進するための反射板１２が設けられている。
【００２８】
前記排液機構７は、図２ないし図４に示すように、前記栽培ベッド４に設けられた排液用の開口部４４に液密に嵌め合わせた排液管７１を具備してなるもので、前記排液管７１の栽培ベッド４に対する高さ位置を調整することにより、前記栽培ベッド４上の養液Ｎの液位を変更することができるようになっている。
【００２９】
前記養液タンク８は、図１ないし図４に示すように、上方に開口した箱形のもので、その開口部８１内側に前記培地保持体３を緩く嵌め合わせることができるようになっており、その内部の貯留空間８３に養液Ｎを貯留するようになっている。また、この養液タンク８の下側には、平面視において前記養液タンク８よりも大きな面積を有する受け皿１１を配設している。この受け皿１１は、反転させた状態で前記養液タンク８の開口部８１に蓋着できる形状及び寸法をなしている。
【００３０】
本実施形態における水耕栽培装置１は、特に、図５に示すように、前記培地保持体３と、前記栽培ベッド４と、前記栽培ベッド支持台９とを、非使用時に養液タンク８内に収納可能な寸法に設定している。具体的には、前記栽培ベッド支持台９が、前記非使用時に使用時とは異なる形状を採り得るように構成されており、前記養液タンク８の深さ寸法Ｍ１が、前記培地保持体３の天板３１の厚み寸法Ｍ２、前記栽培ベッド４の底壁４２の厚み寸法Ｍ３、及び前記栽培ベッド支持台９の非使用時の高さ寸法Ｍ５の合計寸法よりも大きな値に設定されている。すなわち、非使用状態における水耕栽培装置１は、図５に示すように、養液タンク８の内部に培地保持体３と、栽培ベッド４と、変形された栽培ベッド支持台９とを収納しており、その収納状態において、前記養液タンク８の開口部８１に反転させた前記受け皿１１を蓋着している。詳述すれば、前記栽培ベッド支持台９は、使用時の組み立て状態から各板状部材９１に分解した状態へと形状を変形させて、養液タンク８に収容されている。すなわち、分解された栽培ベッド支持台９は、その各板状部材９１を重ね合わせることにより、高さ方向の嵩を低くした上で前記養液タンク８内に収容される。また、前記栽培ベッド４及び培地保持体３は、使用状態と同じ姿勢のままで養液タンク８内に没入させ、その貯留空間８３内に収容されている。なお、浄化器６、液体ポンプ５１、給液管５２、排液管７１、その他の部品についても、貯留空間８３内の空いたスペースに収容するようにしている。
【００３１】
次いで、この水耕栽培装置１の使用状態における作動を説明する。
【００３２】
この水耕栽培装置は、前記液体ポンプ５１を作動させることにより、養液タンク８内の養液Ｎは順次浄化器６に供給され、この浄化器６における浄化器本体６１の内面に沿って流れ落ちて栽培ベッド４上に供給される。栽培ベッド４上で余剰となった養液Ｎは、排液管７１から養液タンク８に戻されることによって循環することになる。そのため、培地２に植物Ｐを植え付けておくことにより水耕栽培方式による植物Ｐの栽培が可能となる。
【００３３】
その際に、前記浄化器６に太陽の光や照明の光があたると、光触媒６２による強い酸化作用により、有機物分解効果を発揮する浄化作用が営まれる。すなわち、養液Ｎ中に含まれる有害な微生物等の汚染物質や微細な塵埃その他の不純物が光触媒６２の浄化作用により分解・除去されることにより、養液Ｎを比較的好適な状態に保つことができる。
【００３４】
この浄化作用により発生する二酸化炭素は、大気中に含まれる酸素や窒素等の他の気体よりも比重が大きいため、前記栽培ベッド４と培地保持体３との間に形成されている空間に溜まる。その空間内の二酸化炭素は、植物Ｐの根の周辺に供給されるとともに、ポット２１と培地保持用の開口部３３との隙間２３から植物Ｐの周辺に導かれる。その結果、この培地２に植えられている植物Ｐはその二酸化炭素を利用して光合成を活発に行い、それら植物Ｐの生長が促進されることとなる。一方、光合成により発生する新鮮な酸素は、比重差により大気中に拡散する。
【００３５】
本実施形態にかかる水耕栽培装置１は以上のように作動するが、この水耕栽培装置１の栽培ベッド４は、従来のような栽培ベッド４を養液タンク８内に収容する場合に比べて高い位置、すなわち、前記栽培ベッド４の上面が、前記養液タンク８の開口部８１の開口端面よりも上方に位置づけられるように設けることができる。そのため、養液タンク８内の実質的な容積を大きくすることができる。したがって、養液Ｎの補充を頻繁に行うことが必要となり、メンテナンスに手間がかかるという問題の発生を、養液タンク８の大型化を招くことなしに抑制することができる。
【００３６】
しかも、前記栽培ベッド４の周壁４１の上端が、前記養液タンク８の開口部８１の開口端面よりも上方に位置する状態であっても、排液機構７が詰まった場合に栽培ベッド４から溢れ出た養液Ｎが外部に流出するという不具合が生じない。すなわち、生長した植物Ｐの根等が排液機構７の排液管７１にまで入り込んで、栽培ベッド４上の養液Ｎが養液タンク８に排出されなくなる等して排液機構７の機能が損なわれることがある。しかしながら、このような場合に、栽培ベッド４の周壁４１を超えて溢れ出た養液Ｎが、栽培ベッド４の周壁４１と培地保持体３の周壁３２との間を通って、養液タンク８内に戻ることとなる。そのため、溢れ出た養液Ｎが、水耕栽培装置１の外部に流出することはなくなる。
【００３７】
また、養液タンク８の下側には受け皿１１を設けているので、管理用の開口部３５から養液Ｎを補充する際に、培地保持体３上にこぼれた養液Ｎを受けることができる。そのため、養液Ｎが周囲に飛び散るおそれがなくなる。
【００３８】
さらに、この水耕栽培装置１は、収納状態において、前記養液タンク８内に、前記培地保持体３、栽培ベッド４、及び栽培ベッド支持台９をはじめとして、水耕栽培装置１の構成要素を全て収めることができる。そのため、水耕栽培装置１を使用せずに運搬または保管する際には、全体の嵩を最小限に抑えることができる。さらに、前記養液タンク８の開口部８１には、受け皿１１を蓋着するので、養液タンク８内に収容した培地保持体３等の中身が外部にこぼれ落ちないようにすることができる。この際の蓋としては、前記受け皿１１を使用しているので、格別な部材を用いることなく上述した効果を得ることができる。すなわち、部品点数の増加を招くことなく、利便性を向上させることが可能である。
【００３９】
次に、本考案の第２実施形態にかかる水耕栽培装置１を、図６及び図７を参照して説明する。なお、以下の実施形態において上記第１実施形態に対応する構成要素には同様の符号を付して示すものとし、具体的な説明を省略する。
【００４０】
この水耕栽培装置は、第１実施形態の井桁状の栽培ベッド支持台に代えて、図６に示すように、カゴ状の栽培ベッド支持台９を用いている。この栽培ベッド支持台９は、底壁９５と、この底壁９５の周縁から立ち上がる周壁９６とを備えている。底壁９５は、網目状をなしており、図示しない平面視において前記栽培ベッド４の底壁４２よりも小さな形状及び寸法を有している。周壁９６は、網目状をなしており、上方に向かって漸次拡開するように傾斜した形態をなしている。そして、この周壁９６の上端で前記栽培ベッド４の底壁４２下面の周縁部分またはその近傍部分を支持し得るようになっている。
【００４１】
特に、この実施形態においては、図７に示すように、前記栽培ベッド４が、前記非使用時に上下反転させることによって前記栽培ベッド支持台９に被せることができる形状に設定されており、前記養液タンク８の深さ寸法Ｍ１が、前記培地保持体３の天板３１の厚み寸法Ｍ２、前記栽培ベッド４の底壁４２の厚み寸法Ｍ３、及び前記栽培ベッド支持台９の高さ寸法Ｍ４の合計寸法よりも大きな値に設定されている。非使用状態における水耕栽培装置１は、図７に示すように、養液タンク８の内部に培地保持体３と、上下反転させた栽培ベッド４と、使用時とは異なる姿勢に変更させた、すなわち上下反転させた栽培ベッド支持台９とを収納している。前記栽培ベッド支持台９の底壁９５と前記栽培ベッド４とは、前述したような寸法関係に設定されているので、前記栽培ベッド４を上下反転させた状態で栽培ベッド支持台９の底壁９５側に被せると、栽培ベッド４と栽培ベッド支持台９の底壁９５とが重なった状態となり、上下方向の嵩張りが減少して、養液タンク８の深さ寸法Ｍ１内に完全に収まることになる。その収納状態において、前記養液タンク８の開口部８１に反転させた前記受け皿１１を蓋着している。また、前記培地保持体３は、使用状態と同じ姿勢のままで養液タンク８内に没入させ、その貯留空間８３内に収容されている。なお、浄化器６、液体ポンプ５１、給液管５２、排液管７１、その他の部品についても、貯留空間８３内の空いたスペースに収容するようにしている。
【００４２】
すなわち、本実施形態にかかる水耕栽培装置１によれば、上記第１実施形態の水耕栽培装置１で示した効果の他に、この水耕栽培装置１を収納状態にする際に、栽培ベッド支持台９の姿勢を変更させ、分解する必要がないので、分解及び組立する手間が省ける。また、使用時と非使用時とで栽培ベッド支持台９自体の形状の変更を伴わないので、前記液体ポンプ５１を栽培ベッド支持台９の一定の位置に組み付けておくことが容易になり、これによって液体ポンプ５１の位置決めが行いやすくなる。
【００４３】
前記栽培ベッド支持台９の周壁９６の上端は、底壁９５に比べて拡開しているので、使用時における栽培ベッド４の支持安定性と非使用時における栽培ベッド４の格納容易性とを両立させることができる。すなわち、使用時には、栽培ベッド支持台９における周壁９６の上端が、栽培ベッド４の底壁４２を安定して支持する。一方、非使用時には、上下反転させた栽培ベッド４の周壁４１内面側に栽培ベッド支持台９の底壁９５が収まるとともに、栽培ベッド４と栽培ベッド支持台９の底壁９５とが重なった状態となり、上下方向の嵩張りが減少するため、養液タンク８内にこれら栽培ベッド４及び栽培ベッド支持台９を容易に収納することができる。
【００４４】
また、前記栽培ベッド支持台９内に液体ポンプ５１を配設するとともに、その外側に排液機構７からの養液Ｎを戻すようにしておけば、この栽培ベッド支持台９自体にフィルタとしての機能を付与することが可能となる。すなわち、栽培ベッド支持台９の底壁９５や周壁９６の網目寸法を適切に設定しておけば、排液中に含まれるゴミはこの栽培ベッド支持台９の底壁９５や周壁９６によって濾過され、内部の液体ポンプ５１には達しないものにすることができる。
【００４５】
なお、本考案は以上に述べた実施形態に限られない。
【００４６】
本考案にかかる水耕栽培装置は、浄化器を有しないものであってもよい。すなわち、給液機構の給液管から排出された養液が、浄化器を通ることなく、栽培ベッド上に供給されるものであってもよい。
【００４７】
さらに、栽培ベッド支持台は、上述したものに限られず、例えば、分解により形状変更しないものや、姿勢変更しないものであってもよい。また、栽培ベッド支持台の形状変更の方法は、分解により複数の部品に分かれるものに限られず、折り畳み・組み立て作業により、１つの部品のまま形状を変更するものであってもよい。
【００４８】
その他各部の具体的構成についても上記実施の形態に限られるものではなく、本考案の趣旨を逸脱しない範囲で種々変形が可能である。
【符号の説明】
【００４９】
Ｐ…植物
Ｎ…養液
１…水耕栽培装置
２…培地
３…培地保持体
３１…天板
３２…周壁
４…栽培ベッド
５…給液機構
７…排液機構
８…養液タンク
８１…開口部
８３…貯留空間
９…栽培ベッド支持台
９１…板状部材
１１…受け皿
Ｍ１…深さ寸法（養液タンク）
Ｍ２…厚み寸法（培地保持体の天板）
Ｍ３…厚み寸法（栽培ベッドの底壁）
Ｍ４…高さ寸法（栽培ベッド支持台）
Ｍ５…高さ寸法（非使用時の栽培ベッド支持台）
【図１】
0003160009.tif 000003
【図２】
0003160009.tif 000004
【図３】
0003160009.tif 000005
【図４】
0003160009.tif 000006
【図５】
0003160009.tif 000007
【図６】
0003160009.tif 000008
【図７】
0003160009.tif 000009
【手続補正書】
【提出日】平成22年3月31日(2010.3.31)
【手続補正１】
【補正対象書類名】実用新案登録請求の範囲
【補正対象項目名】請求項８
【補正方法】変更
【補正の内容】
【請求項８】
前記培地保持体と、前記栽培ベッドと、前記栽培ベッド支持台とを、非使用時に前記養液タンク内に収納可能な寸法に設定しており、
前記受け皿が、前記培地保持体と、前記栽培ベッドと、前記栽培ベッド支持台とを養液タンク内に収納した状態で、前記養液タンクの開口部に蓋着できるように構成したものである請求項２記載の水耕栽培装置。
【手続補正２】
【補正対象書類名】明細書
【補正対象項目名】００１７
【補正方法】変更
【補正の内容】
【００１７】
水耕栽培装置の非使用状態における運搬や保管における利便性を高めるためには、前記培地保持体と、前記栽培ベッドと、前記栽培ベッド支持台とを、非使用時に前記養液タンク内に収納可能な寸法に設定しており、前記受け皿が、前記培地保持体と、前記栽培ベッドと、前記栽培ベッド支持台とを養液タンク内に収納した状態で、前記養液タンクの開口部に蓋着できるように構成したものが好ましい。